(57)【特許請求の範囲】
【請求項１】
圧縮機、四方弁、熱源側熱交換器及び熱源側絞り装置を有する複数の熱源側ユニットと、負荷側絞り装置及び負荷側熱交換器を有する１又は複数の負荷側ユニットとを配管接続して冷媒を循環させる冷媒回路を構成する空気調和装置において、
前記圧縮機から前記熱源側熱交換器に前記冷媒を流入させて前記熱源側熱交換器を霜取する霜取運転を行う際、霜取対象の前記熱源側熱交換器における前記冷媒の熱交換量の調整制御を、前記熱源側絞り装置の開度を制御して行う制御装置と、
前記熱源側絞り装置を通過した液状の前記冷媒を含む前記冷媒の一部を、暖房運転を行っている前記熱源側ユニットから流入するガス状の前記冷媒と混合させて、前記四方弁に送り込むバイパス配管と
を備える空気調和装置。
【請求項２】
前記制御装置は、前記複数の熱源側ユニットのうち、少なくとも１台が霜取運転を行っているときに、暖房運転を行っている前記熱源側ユニットの運転状態と前記負荷側ユニットの暖房能力とに基づいて、前記暖房運転を行っている熱源側ユニットに暖房運転を継続させるか霜取運転を開始させるかを決定する処理を行う請求項１に記載の空気調和装置。
【請求項３】
アキュムレータと、
前記冷媒回路を流れる前記冷媒を過冷却する冷媒間熱交換器と、
前記熱源側熱交換器と負荷側熱交換器を接続する配管の間から過冷却膨張弁を介して前記冷媒間熱交換器を通過させて前記アキュムレータの吸入側に至る配管を有する過冷却流路をさらに備え、
前記バイパス配管と前記過冷却流路の前記配管とを一部共有する請求項１又は請求項２に記載の空気調和装置。
【請求項４】
前記霜取運転における前記熱源側熱交換器の冷媒流出側における温度を検出する熱源側温度センサをさらに備え、
前記制御装置は、前記熱源側温度センサの検出に係る温度と、前記熱源側熱交換器における凝縮温度との差に基づいて、前記熱源側絞り装置の開度を制御する請求項１〜請求項３のいずれか一項に記載の空気調和装置。
【発明の詳細な説明】
【技術分野】
【０００１】
この発明は、ヒートポンプ式の空気調和装置に関わるものである。特に複数の熱源側ユニットを並列に接続して構成する空気調和装置の霜取運転に係る制御に関するものである。
【背景技術】
【０００２】
従来、熱源側熱交換器を複数有する空気調和装置は、霜取運転（除霜運転）している室外機の低圧側に他の室外機の高圧ガス冷媒を供給し、霜取運転していない室外機の圧縮機の能力を霜取運転に利用しているものがある（例えば、特許文献１参照）。【０００３】
また、各熱源側熱交換器に係る温度に基づいて除霜要否を判断し、さらに熱源側熱交換器に係る温度が低い又は前記圧縮機の運転時間が長い熱源側ユニットについて除霜運転を
順次行うことで暖房を継続しつつ、霜取を行う（例えば、特許文献２参照）。
【先行技術文献】
【特許文献】
【０００４】
【特許文献１】特開平７−３３２８１５号公報（第３―４頁、第１図）
【特許文献２】特願２００８−２３９０４０号公報（第１―３頁、第６図）
【発明の概要】
【発明が解決しようとする課題】
【０００５】
従来のような空気調和装置においては、霜取に係る熱源側熱交換器における熱交換量は、圧縮機が送り込む冷媒量により制御するしかないが圧縮機からの冷媒量を多くし過ぎると高圧過昇を招くおそれがある。このため、圧縮機からの冷媒量は熱源側熱交換器の状態に関係なく一定としている。したがって、霜取時間が長くなることがあり、場合によっては平均暖房能力が低下する等の問題があった。【０００６】
この発明は、上記のような課題を解決するためになされたもので、より効率的に熱源側熱交換器の霜取を行うことができる空気調和装置を得ることを目的とする。
【課題を解決するための手段】
【０００７】
この発明に係る空気調和装置は、圧縮機、四方弁、熱源側熱交換器及び熱源側絞り装置を有する複数の熱源側ユニットと、負荷側絞り装置及び負荷側熱交換器を有する１又は複数の負荷側ユニットとを配管接続して冷媒を循環させる冷媒回路を構成する空気調和装置において、圧縮機から熱源側熱交換器に冷媒を流入させて霜取を行う霜取運転を行う際、霜取対象の熱源側熱交換器における冷媒の熱交換量の調整制御を、熱源側絞り装置の開度を制御して行う制御装置と、熱源側絞り装置を通過した液状の冷媒を含む冷媒の一部を、暖房運転を行っている熱源側ユニットから流入するガス状の冷媒と混合させて、四方弁に送り込むバイパス配管とを備えるものである。
【発明の効果】
【０００８】
この発明の空気調和装置は上記のように構成したので、制御装置が霜取運転中の熱源側絞り装置の開度を制御し、室外機側熱交換器に冷媒が溜まりやすくすることで、霜取に必要な熱交換量を確保でき、高圧過昇を抑えつつ、霜取運転の時間を短くすることができるので、暖房運転中にも、暖房能力の低下が小さくすることができる。
【図面の簡単な説明】
【０００９】
【図１】この発明の実施の形態１に係る空気調和装置の構成を示す図である。
【図２】この発明の実施の形態１に係る空気調和装置の霜取運転に係る処理を示す図である。
【図３】この発明の実施の形態２に係る空気調和装置における制御装置１００の処理を示す図である。
【発明を実施するための形態】
【００１０】
実施の形態１．
図１はこの発明の実施の形態１に係る空気調和装置の構成を示す図である。図１の空気調和装置は、熱源側ユニット（室外機）Ａ、Ｂと負荷側ユニット（室内機）Ｘ、Ｙとを備え、これらをガス配管４０及び液配管４１で連結し、冷媒回路を構成して冷媒を循環させ、対象空間の暖房又は冷房を行うものである。以下、熱源側ユニットＡ、Ｂ、また負荷側ユニットＸ、Ｙの構成手段等に関しては、例えば共通事項を説明する等、特に区別する場合を除き、添字を省略して説明する場合がある。また、図１を含め、以下の図面では各構成部材の大きさの関係が実際のものと異なる場合がある。
【００１１】
本実施の形態では、熱源側ユニットＡ、Ｂは、圧縮機１、四方弁２、熱源側熱交換器３、アキュムレータ４及び膨張弁７を有し、冷媒回路の一部を構成する。圧縮機１は、吸入した冷媒を圧縮し、駆動周波数に基づいて任意の圧力を加えて送り出す（吐出する）。本実施の形態の圧縮機１は、例えば駆動周波数を任意に変化させることにより容量（単位時間あたりの冷媒を送り出す量）を変化させることができる、インバータ回路を備えた容量可変のインバータ圧縮機とする。
【００１２】
四方弁２は、制御装置１００からの指示に基づいて冷房運転時と暖房運転時とによって冷媒の流れを切り替える。熱源側熱交換器３は、冷媒と空気（室外の空気）との熱交換を行う。例えば、暖房運転時においては蒸発器として機能し、熱源側ユニットに流入した冷媒と空気との熱交換を行い、冷媒を蒸発させ、気化させる。また、冷房運転時においては凝縮器として機能し、四方弁２側から流入した圧縮機１において圧縮された冷媒と空気との熱交換を行い、冷媒を凝縮して液化させる。また、アキュムレータ４は、例えば液体の余剰冷媒を貯めておくために設けている。
【００１３】
熱源側絞り装置となる膨張弁７は、本実施の形態では特に制御装置１００の指示に基づいて冷媒の流量調整（圧力調整）を行う。本実施の形態では、流量調整を行うことにより、霜取運転時に冷媒が熱源側熱交換器３内に留まる時間等を調整して熱源側熱交換器３における熱交換量を調整する。このため、ここでは霜取運転以外の運転では全開とする。
【００１４】
また、熱源側ユニットＡ、Ｂは、過冷却膨張弁５、過冷却器となる冷媒間熱交換器６、開閉弁８、開閉弁９及びバイパス配管１０により構成するバイパス流路（過冷却流路）を有している。基本的には冷房運転時に冷媒回路を流れる冷媒を過冷却するために利用するが、本実施の形態においては、霜取運転時に利用するものとして説明する。冷媒間熱交換器６は、冷媒回路を流れる冷媒と、冷媒回路から分岐して過冷却膨張弁５により流量調整（圧力調整）された冷媒との間で熱交換を行う。過冷却膨張弁５、冷媒間熱交換器６を流れる冷媒は、バイパス配管１０を介して、アキュムレータ４の冷媒流入側の配管又は四方弁２とガス配管４０との間の配管に流れる。どちらの配管に流すかについては、開閉弁８、開閉弁９の開閉により決定する。通常は、開閉弁８を開放し、開閉弁９を閉止してアキュムレータ４の冷媒流入側の配管に冷媒を流す。本実施の形態では、霜取運転時に開閉弁８を閉止し、開閉弁９を開放して四方弁２とガス配管４０との間の配管に流し、四方弁２を通過するようにする。
【００１５】
一方、負荷側ユニットＸ、Ｙは、負荷側熱交換器１１、負荷側絞り装置（膨張弁）１２を有し、冷媒回路の一部を構成する。負荷側熱交換器１１は冷媒と空気との熱交換を行う。例えば、暖房運転時においては凝縮器として機能し、ガス配管４０から流入した冷媒と空気との熱交換を行い、冷媒を凝縮させて液化（又は気液二相化）させ、液配管４１側に流出させる。一方、冷房運転時においては蒸発器として機能し、冷媒と空気との熱交換を行い、冷媒に空気の熱を奪わせて蒸発させて気化させ、ガス配管４０側に流出させる。また、流量調整弁、膨張弁等の負荷側絞り装置１２は、開度を変化させることで、例えば負荷側熱交換器１１における冷媒の圧力調整等を行う。
【００１６】
制御装置１００は、例えばマイクロコンピュータ等からなる処理手段を有し、空気調和装置の各手段を制御する。ここで、本実施の形態では、１台の制御装置１００が２台の熱源側ユニットＡ、Ｂに係る制御等の処理を行うものとするが、例えば、制御装置１００を各熱源側ユニットにそれぞれ設け、いずれかの制御装置１００が全体の制御に係る判断等を行うようにしてもよい。また、遠隔制御等ができる場合には、熱源側ユニット内になくてもよい。
【００１７】
また、本実施の形態の空気調和装置においては、各種物理量を検出する検出手段（センサ）を設け、検出手段は検出に係る信号を制御装置１００に送る。熱源側温度センサ２２は、熱源側熱交換器３に流入出する気液二相冷媒又は液冷媒の温度を検出する。本実施の形態では、霜取運転において熱源側熱交換器３から流出する冷媒の温度を検出する。外気温度センサ２３は、例えば熱源側熱交換器３の近傍において、外気の温度を検出する。また、高圧圧力センサ３３は圧縮機１と四方弁２の間に設けられ、圧縮機１の吐出圧力（冷媒回路の高圧側の圧力）を検出する。制御装置１００は高圧圧力センサ３３が検出する圧力に基づいて凝縮温度を得ることができる。低圧圧力センサ３４は、例えば四方弁２とアキュムレータ４との間の配管において、冷媒回路の低圧側の圧力を検出する。
【００１８】
次に、図１に基づいて、本実施の形態の空気調和装置の暖房運転における動作等について説明する。冷媒の流れは点線矢印で示している。圧縮機１を駆動して暖房運転を開始する。圧縮機１が吐出した高温・高圧のガス冷媒は四方弁２を経由して熱源側ユニットから流出する。ここで、他方の熱源側ユニットが後述する霜取運転を行っている場合には、ガス配管４０を通過した冷媒は、一部が負荷側ユニットに流入し、残りが他方の熱源側ユニットの四方弁２に流入する。負荷側ユニット側に流れた冷媒は暖房に寄与し、他方の熱源側ユニット側に流れた冷媒は霜取運転に寄与する。
【００１９】
ガス配管４０を通過して負荷側ユニットに流入した冷媒は負荷側熱交換器１１に流入する。この負荷側熱交換器１１では、ガス冷媒は、加熱対象となる空気等に放熱しながら凝縮液化して、低温、高圧の液冷媒となる。一方、加熱対象となる空気等は加熱され、暖房が行われる。
【００２０】
凝縮液化した液冷媒は、負荷側絞り装置１２において減圧され、液冷媒又は気液二相冷媒の状態で負荷側ユニットから流出する。そして液配管４１を経由して熱源側ユニットに流入する。
【００２１】
熱源側ユニットに流入した冷媒は熱源側熱交換器３で例えば外気と熱交換することによって、外気から吸熱し、蒸発ガス化してガス冷媒となる。そして、四方弁２、アキュムレータ４を経由して再度、圧縮機１に吸入される。
【００２２】
例えば、空調負荷が大きく、暖房能力を必要とする場合、空気調和装置は、熱源側ユニットＡと熱源側ユニットＢとを同時に運転させることができる。複数系統の熱源側ユニットＡ及び熱源側ユニットＢとを同時に運転させることによって冷凍サイクルを循環する冷媒流量を増加させることができ、それに伴って暖房能力を向上させることができる。熱源側ユニットＡを暖房運転させた状態で、熱源側ユニットＢを暖房運転を開始するようにしてもよい。
【００２３】
熱源側ユニットＡと熱源側ユニットＢとの両方による暖房運転を行う場合、各熱源側ユニットからそれぞれ流出した冷媒は、ガス配管４０の合流部部分において合流して負荷側ユニットに流入する。また、負荷側ユニットから流出した冷媒は液配管４１の分岐部分において分岐し、熱源側ユニットＡと熱源側ユニットＢとにそれぞれ流入する。
【００２４】
さらに図１に基づいて、本実施の形態の空気調和装置の霜取運転における動作等について説明する。熱源側ユニット内の冷媒の流れは実線矢印で示している。空気調和装置が暖房運転をしているとき、熱源側熱交換器３は蒸発器して機能する。このため、熱源側熱交換器３の周辺の空気の温度が低下すると空気中の水分が霜となって熱源側熱交換器３に付着することがある。熱源側熱交換器３に付着した霜をそのままにしておくと、熱源側熱交換器３における熱交換量が減少し、冷凍サイクルを利用した空気調和能力が低下してしまう。そこで、本実施の形態に係る空気調和装置では、効率良く熱源側熱交換器３の霜取を行うようにしたものである。ここでは、例として、熱源側ユニットＡのみを霜取運転する場合について説明する。熱源側ユニットＢを霜取運転する場合についても同様である。
【００２５】
熱源側ユニットＡにおける霜取運転を開始すると、四方弁２Ａを暖房運転における流路の接続状態から反転し（切り替え）、熱源側熱交換器３Ａの霜取運転を開始する。これにより、圧縮機１Ａから吐出された高温・高圧のガス冷媒は四方弁２Ａを介して熱源側熱交換器３Ａに流入して霜を融解するとともに、一部又はすべての冷媒は凝縮して液化する。そして、膨張弁７Ａを通過する。膨張弁７Ａの制御については後述する。
【００２６】
そして、膨張弁７Ａを通過した冷媒は、一部が熱源側ユニットＡから流出して液配管４１においいて、暖房により負荷側ユニットから流出した液冷媒又は気液二相冷媒と合流する。そして、熱源側ユニットＢの熱源側熱交換器３Ｂ、四方弁２Ｂ、アキュムレータ４Ｂの順に流れて圧縮機１Ｂに吸入される。
【００２７】
ここで、前述したように、霜取運転を行っている熱源側ユニットＡには、暖房運転を行っている熱源側ユニットＢから高温・高圧のガス冷媒がガス配管４０を介して流入する。このため、高圧側と低圧側との圧力差が小さくなり、四方弁２Ａが切り替わってしまう可能性がある。そこで、過冷却膨張弁５Ａを全開にし、開閉弁８を閉止して開閉弁９を開放して膨張弁７Ａを通過した冷媒の一部をバイパス流路を通過させる。そして、バイパス配管１０を介して熱源側ユニットＢからのガス冷媒を混合させ、減圧した冷媒が四方弁２Ａを通過するようにする。
【００２８】
以上のように、熱源側ユニットが複数台の場合、１台ずつ霜取運転を行うことができ、暖房能力をゼロにすることなく、霜取することができる。ここで、本実施の形態では、霜取運転において、熱源側熱交換器３の凝縮能力を確保しつつ、高圧過昇しないように、膨張弁７の開度を調整しながら行うものとする。
【００２９】
図２はこの発明の実施の形態１に係る空気調和装置の霜取運転に係る処理を示す図である。ここでは熱源側ユニットＡのみが霜取運転を行い、熱源側ユニットＢが暖房運転を行う場合について説明する。制御装置１００は、熱源側ユニットＡの霜取運転を行うものと判断すると、四方弁２Ａを暖房運転における流路の接続状態から反転させる（切り替える）（Ｓ１）。これにより、前述したように、圧縮機１Ａが吐出した高温・高圧のガス冷媒は四方弁２Ａを介して熱源側熱交換器３Ａに送られる。送られた冷媒は霜を融解させる。霜に放熱したガス冷媒は凝縮により液化することになる。
【００３０】
ここで、膨張弁７Ａの開度を小さくすると、熱源側熱交換器３Ａ内に冷媒が長い時間留まるため、熱交換を促し、熱交換能力がより大きくなる。制御装置１００は、膨張弁７Ａの開度を、熱源側温度センサ２２Ａの検出に係る温度と高圧圧力センサ３３Ａの検出に係る圧力から導かれる凝縮飽和温度（凝縮温度）との差（以下、ＳＣとする）を算出し（Ｓ２）、ＳＣに基づいて制御を行う。
【００３１】
ＳＣ＜０の場合、膨張弁７Ａの入口は気液二相又はガス状態であるため、さらに熱交換が可能な状態といえる。また、ＳＣ＞０の場合、膨張弁７Ａに流入する冷媒は液状態であるため、全ての冷媒が液化したといえる。ここで、ＳＣが大きすぎると、熱源側熱交換器３Ａに液が貯まり過ぎ、熱源側熱交換器３Ａにおける冷媒密度が上昇するため、高圧過昇の原因となる。よって、ＳＣはある一定の正の値の範囲内にあることが望ましい。このようなＳＣの範囲をＳＣ１≦ＳＣ≦ＳＣ２とする。ここで、ＳＣ１＝０に設定すると裕度がないため、ＳＣ１はセンサの誤差等を考慮した正の値とする。
【００３２】
そして、制御装置１００は、ＳＣ＜ＳＣ１であるかどうかを判断する（Ｓ３）。ＳＣ＜ＳＣ１であると判断すると、膨張弁７Ａの開度を小さくする（Ｓ４）。また、ＳＣ＜ＳＣ１でないと判断すると、ＳＣ２＜ＳＣであるかどうかを判断する（Ｓ５）。ＳＣ２＜ＳＣであると判断すると膨張弁７Ａの開度を大きくする（Ｓ６）。
【００３３】
このように、熱源側ユニットＡのみが霜取運転を行うときに、熱源側熱交換器３Ａの出口側に膨張弁７Ａを有し、膨張弁７Ａの開度を制御することで、高圧過昇を生じないようにしつつ、熱源側熱交換器３Ａにおける熱交換を促すことで、凝縮能力（熱交換量）を大きくし、霜取の効率を上げることができる。
【００３４】
ここで、熱源側熱交換器３Ａ内で液化した冷媒は、その後、負荷側熱交換器４、過冷却膨張弁５を通過した気液二相冷媒と混合して熱源側ユニットＢに流入し、熱源側熱交換器３Ｂ、四方弁２Ｂ、アキュムレータ４Ｂの順に流れて圧縮機１Ｂに吸入される。
【００３５】
また、熱源側ユニットＢの圧縮機１Ｂが吐出した高温・高圧のガス冷媒は四方弁２Ｂを介して、一方は負荷側ユニットＸ、Ｙの方に、他方は熱源側ユニットＡの四方弁２Ａの方に分岐する。ここで、負荷側ユニットＸ、Ｙに送られる冷媒量が減少するため、負荷側ユニットＸ、Ｙにおける暖房能力が減少する可能性がある。また、圧縮機１Ａと圧縮機１Ｂの両方が吐出した高圧の冷媒が四方弁２Ａに流入することになるため、四方弁２Ａの誤動作（意図しない切替）が起こる可能性がある。
【００３６】
そこで、本実施の形態では、過冷却膨張弁５Ａと開閉弁９Ａとを開き（開閉弁８Ａは閉）、冷媒間熱交換器６Ａを通過した低圧の気液二相冷媒又は低圧の液冷媒と熱源側ユニットＢからの高圧のガス冷媒とを混合し、低圧にして四方弁２Ａを通過させる。過冷却回路６Ａから冷媒を供給することで、負荷側ユニットＸ、Ｙからの流入量を減少させることが可能となり、負荷側ユニット側の能力確保につなげることができる。また、四方弁２Ａの片側は低圧となるため、四方弁２Ａの誤動作を防止することも可能となる。ここで、他の方法として、四方弁２の手前に膨張弁又はキャピラリーチューブ等、圧力損失となる手段を設けることによっても、四方弁２Ａの誤動作防止等をはかることができる。
【００３７】
四方弁２Ａに流れた冷媒は、アキュムレータ４Ａにおいて、液冷媒とガス冷媒とに分離され、ガス冷媒が圧縮機１Ａに吸入される。熱源側ユニットＡは霜取運転を、熱源側ユニットＢは暖房運転を実現する。
【００３８】
制御装置１００は、Ｓ５において、ＳＣ２＜ＳＣでないと判断すると、霜取運転を終了するかどうかを判断する（Ｓ７）。霜取運転を終了しないと判断すると、Ｓ２に戻って処理を続ける。一方、霜取運転を終了するものと判断すると、四方弁２Ａを霜取運転における流路の接続状態から反転し（Ｓ８）、熱源側ユニットＡに暖房運転を開始させる（Ｓ９）。
【００３９】
以上のように、実施の形態１の空気調和装置によれば、一方の熱源側ユニットのみ霜取運転を行う場合、他方の熱源側ユニットから高圧のガス冷媒が熱源側ユニットＡに供給する冷媒回路に対し、冷媒間熱交換器６Ａからも冷媒を供給可能に構成したので、熱源側ユニットＢからの高圧ガスの供給量を減少させ、負荷側ユニットＸ、Ｙに流れる冷媒量の減少を抑えることができ、暖房能力の低下を抑えることができる。また、熱源側ユニットＢから流入する高圧のガス冷媒とバイパス配管１０Ａを通過した冷媒とを冷媒間熱交換器６Ａから低圧の冷媒を供給し圧力を下げた後、四方弁２に送ること返すことで、圧力差をつけることができるので、四方弁２が勝手に切り替わる等することがなく、誤動作を防止することができる。
【００４０】
実施の形態２．
図３はこの発明の実施の形態２に係る空気調和装置における制御装置１００の処理を示す図である。本実施の形態における空気調和装置は、実施の形態１と同じ構成であるものとする。このため、本実施の形態においても、図１に基づいて説明する。本実施の形態では、例えば２台の熱源ユニットの一方の熱源側ユニットにおいて霜取運転を行っている際に、他方の熱源側ユニットにおいて霜取運転を行うか、例えば暖房運転を継続するかを決定する手順について説明する。
【００４１】
制御装置１００は、いずれかの熱源側温度センサ２２の検出に係る温度が所定の温度以下であると判断すると霜取運転を開始する。ここでは、熱源側ユニットＡの熱源側温度センサ２２Ａの検出温度ＴＨ２２Ａが所定の温度以下となり、霜取運転を開始している場合について説明する。
【００４２】
また、本実施の形態では、熱源側ユニットＢが霜取運転を行うかどうかの判断基準として、霜取開始設定温度ＴＨ２２Ｂ１及び霜取開始設定温度ＴＨ２２Ｂ２を設定する。ここで、ＴＨ２２Ｂ２＞ＴＨ２２Ｂ１であるものとする。
【００４３】
制御装置１００は、熱源側ユニットＡが霜取運転中であると判断すると（Ｓ１１）、さらに、ＴＨ２２ＢがＴＨ２２Ｂ１以下であるかどうかを判断する（Ｓ１２）。ＴＨ２２ＢがＴＨ２２Ｂ１以下であると判断すると、熱源側ユニットＢの霜取運転をすぐに行う必要があるとして霜取運転を行う（Ｓ１５）。したがって、熱源側ユニットＡ、Ｂは２台とも霜取運転を行うことになる。
【００４４】
また、ＴＨ２２ＢがＴＨ２２Ｂ１以下でないと判断すると、ＴＨ２２ＢがＴＨ２２Ｂ２以上であるかどうかを判断する（Ｓ１３）。ＴＨ２２ＢがＴＨ２２Ｂ２以上であると判断すると、熱源側ユニットＢには霜取運転の必要がないとして、Ｓ１１に戻って熱源側ユニットＡのみの霜取運転を継続する。ここで、負荷側ユニットにおける暖房能力をまかなうため、制御装置１００は、熱源側ユニットＢの圧縮機１Ｂの駆動周波数を上げる等の制御をしてもよい。
【００４５】
一方、Ｓ１３において、ＴＨ２２ＢがＴＨ２２Ｂ２以上でない（ＴＨ２２Ｂ１＜ＴＨ２２Ｂ＜ＴＨ２２Ｂ２となる）と判断すると、全負荷側ユニットが必要な暖房能力（運転容量）Ｑｊを計算して所定値Ｑｊｈと比較する（Ｓ１４）。ここで、所定値Ｑｊｈは、１台の熱源側ユニットの暖房運転により供給することができる運転容量以下であることが望ましい。
【００４６】
例えば、全負荷側ユニットの運転容量Ｑｊが所定値Ｑｊｈより多い場合、１台の熱源側ユニットで全負荷側ユニットにおける暖房能力をまかなうことができない。また、このまま暖房運転を継続すると霜取運転となる可能性が高い。また、ＴＨ２２Ｂ１＜ＴＨ２２Ｂの段階で霜取運転を行うことで霜取にかかる時間を短くすることが期待でき、暖房能力確保の効率化をはかることができる。そこで、ＱｊがＱｊｈより多いと判断すると、熱源側ユニットＢについても霜取運転を行うものとする（Ｓ１５）。
【００４７】
全負荷側ユニットの運転容量Ｑｊが所定値Ｑｊｈ以下の場合、熱源側ユニットＢが暖房運転を継続すれば全負荷側ユニットの暖房能力をまかなうことができるので、熱源側ユニットＢは霜取運転を行わない。よって、熱源側ユニットＡのみ霜取運転を行う。
【００４８】
ここでは、霜取開始設定温度ＴＨ２２Ｂ２を設定するようにしたが、これに限定するものではない。例えば、外気を検出する外気温度センサを有している場合には、外気温度センサの検出に係る外気の温度に基づいて判断を行うようにしてもよい。例えば外気の温度が所定の温度以上の場合には、熱源側ユニットＢにおいて霜取運転を行わないものとし、所定の温度より低い場合には、全負荷側ユニットの運転容量Ｑｊに基づく判断を行う。同様に、熱源側ユニットＢの低圧側における冷媒の圧力に基づいて判断を行うようにしてもよい。例えば熱源側ユニットＢの低圧側における冷媒の圧力が所定の圧力以上の場合には、、熱源側ユニットＢにおいて霜取運転を行わないものとし、所定の圧力より低い場合には、全負荷側ユニットの運転容量Ｑｊに基づく判断を行う。
【００４９】
以上のように、実施の形態２の空気調和装置によれば、熱源側ユニットのうち、１台の熱源側ユニットが霜取運転となった場合、残りの熱源側ユニットの運転状態と負荷側ユニットが必要とする暖房能力を確認し、残りの熱源側ユニットが暖房運転継続可能又は負荷側ユニットの暖房能力を確保可能なときには１台の熱源側ユニットのみで霜取運転を行うようにしたので、霜取運転と暖房運転との継続を実現することができる。一方、負荷側の暖房能力が大きい又は残りの熱源側ユニットが暖房運転継続が可能と言い難い状態であれば、例えば、残りの熱源側ユニットを霜取運転させることで、一時的に暖房を中断しつつ、早期に暖房運転を行う熱源側ユニットの台数を多くすることで、より効率的に暖房能力の確保を行うことができる。
【００５０】
実施の形態３．
前述した実施の形態１及び実施の形態２では、２台の熱源側ユニットＡ、Ｂの構成に基づいて説明したが、３台以上の熱源側ユニットを並列に配管接続した場合にも適用することができる。
【符号の説明】
【００５１】
Ａ，Ｂ  熱源側ユニット、Ｘ，Ｙ  負荷側ユニット、１，１Ａ，１Ｂ  圧縮機、２，２Ａ，２Ｂ  四方弁、３，３Ａ，３Ｂ  熱源側熱交換器、４，４Ａ，４Ｂ  アキュムレータ、５，５Ａ，５Ｂ  過冷却膨張弁、６，６Ａ，６Ｂ  冷媒間熱交換器、７，７Ａ，７Ｂ  膨張弁、８，８Ａ，８Ｂ，９，９Ａ，９Ｂ  開閉弁、  １０，１０Ａ，１０Ｂ  バイパス配管、１１，１１Ｘ，１１Ｙ  負荷側熱交換器、１２，１２Ｘ，１２Ｙ  負荷側絞り装置、２２，２２Ａ，２２Ｂ  熱源側温度センサ、２３，２３Ａ，２３Ｂ  外気温度センサ、３３，３３Ａ，３３Ｂ  高圧圧力センサ、３４，３４Ａ，３４Ｂ  低圧圧力センサ、４０  ガス配管、４１  液配管、１００  制御装置。
【図１】
0006021943.tif 000002
【図２】
0006021943.tif 000003
【図３】
0006021943.tif 000004